(57)【要約】【課題】  扉の厚みに関係なく装着でき、扉への浸水を防止するライン把手およびその取付け方法を提供する。  【解決手段】  指をかける把手本体と、扉の背面に固定される後壁固定部と、取り付けられる扉の上端面よりも奥行きの短い上端取付け部と、を備え、水の流入を防止する防水手段を備えたことを特徴とするライン把手およびその取付け方法を提供する【選択図】  図１
2010167276.tif 000002
【特許請求の範囲】
【請求項１】
指をかける把手本体と、
扉の背面に固定される後壁固定部と、
取り付けられる扉の上端面よりも奥行きの短い上端取付け部と、を備え、
水の流入を防止する防水手段を備えたことを特徴とするライン把手。
【請求項２】
前記上端取付部には凹部が形成され、
前記凹部に防水手段が配置されていることを特徴とする請求項１に記載のライン把手
【請求項３】
前記凹部と前記後壁固定部が段差なく形成されていることを特徴とする請求項２に記載のライン把手
【請求項４】
前記上端取付部が前記後壁固定部に対して、水平方向より下方に傾斜してなることを特徴とする請求項１乃至３のいずれか１項に記載のライン把手。
【請求項５】
前記防水手段は弾性部材からなるパッキンであることを特徴とする請求項１乃至４の何れか一項に記載のライン把手
【請求項６】
指をかける把手本体と、
扉の背面に固定される後壁固定部と、
取り付けられる扉の上端面よりも奥行きの短い上端取付け部と、を備え、
前記上端部に凹部を備えたことを特徴とするライン把手。
【請求項７】
ライン把手を扉に取り付けるライン把手の取付け構造であって、
前記ライン把手は、指をかける把手本体と、
扉の背面に固定される後壁固定部と、
扉の上端面に取り付けられる上端取付部と、を備え、
前記上端取付け部は、前記扉の上端面の奥行きよりも短く、
前記上端取付け部と前記扉の上端面との間に、水の流入を防止する防水手段とを備えたことを特徴とするライン把手の取付け構造
【請求項８】
前記防水手段は、前記上端取付け部と前記扉の上端面との間に介在することを特徴とする請求項７に記載のライン把手の取付け構造
【請求項９】
前記上端取付部には凹部が形成され、
前記凹部と前記扉の上端面との間に防水手段が配置されていることを特徴とする請求項８に記載のライン把手の取付け構造
【請求項１０】
前記防水手段は弾性部材からなるパッキンであることを特徴とする請求項７乃至９の何れか一項に記載のライン把手の取付け構造
【発明の詳細な説明】
【技術分野】
【０００１】
本発明はキャビネットなどの開口部に開閉、引き出しを行うために取り付けられる扉のライン把手およびその取付け方法に関する。
【背景技術】
【０００２】
従来、システムキッチンなどのキャビネットに設けられた扉において、その上端部にライン把手と呼ばれるライン状の把手を設けることが行われている。（例えば、特許文献１）
このライン把手において、従来、扉の上部を覆う形で装着されていたものを、扉の木口と当接する部分を短くすることで、様々な厚みの扉に取付けられるものが提案されている。
【０００３】
【特許文献１】特許第３７３２４８３号（１１頁、第４図）
【発明の概要】
【発明が解決しようとする課題】
【０００４】
システムキッチンなどではキャビネットの扉前面に水がかかり、付着することは日常的に起こりうる事態である。当然、キャビネットの扉前面は化粧板などで構成され、防水処理が施されているのが通常である。
しかしながら、上記のようなライン把手の取付構造では、ライン把手と扉上端部の間に毛細管現象により水が浸入し、キャビネット内部へ水分が浸入してしまうという問題があった。さらに、上記のようなライン把手は、使用者が濡れた手で操作することが容易に想像されるため、一般の扉と比較しても防水処理の必要性は高い。また、扉前面は防水処理を施されているものの、ライン把手によって被覆される上端部分から裏面は防水処理を施されていない場合も多く、吸水によって扉上部が膨らんでしまい、扉が正常に閉まらなくなるなどの問題も発生する。
【０００５】
本発明は、このような課題を解決するために考案されたものであり、様々な厚みの扉に取り付けることが可能でありながら、扉上部における水分の侵入を防ぐライン把手を提供するものである。
【課題を解決するための手段】
【０００６】
上記のような課題を解決するための請求項１記載の発明によれば、指をかける把手本体と、扉の背面に固定される後壁固定部と、取り付けられる扉の上端面よりも奥行きの短い上端取付け部と、を備え、水の流入を防止する防水手段を備えたことを特徴とするライン把手が提供される。
これによれば、扉の厚みに関係なく装着できながら、ライン把手や扉の前面に飛散した水滴が浸水することを防止することができる。
【０００７】
また、請求項２記載の発明によれば、前記上端取付部には凹部が形成され、前記凹部に防水手段が配置されていることを特徴とする請求項１に記載のライン把手が提供される。
これによれば、上端取付け部に凹部を設けることによって、効率的に防水手段を配置することが可能となる。
【０００８】
また、請求項３記載の発明によれば、前記凹部と前記後壁固定部が段差なく形成されていることを特徴とする請求項２に記載のライン把手が提供される。
これによれば、前記奥部から前記後壁固定部が段差なく形成されていることによって、パッキンなどの防水手段が前方へはみ出ることを防止できる。
【０００９】
また、請求項４記載の発明によれば、前記上端取付部が前記後壁固定部に対して、水平方向より下方に傾斜してなることを特徴とする請求項１乃至３のいずれか１項に記載のライン把手が提供される。
これによれば、ライン把手自身が扉に装着した状態で前方へ傾斜することとなり、より効率的に浸水を防止できる。
【００１０】
また、請求項５記載の発明によれば、前記防水手段は弾性部材からなるパッキンであることを特徴とする請求項１乃至４の何れか一項に記載のライン把手が提供される。
これによれば、特殊な材料や構造を用いることなく、浸水を防止することができる。
【００１１】
また、請求項６記載の発明によれば、指をかける把手本体と、扉の背面に固定される後壁固定部と、取り付けられる扉の上端面よりも奥行きの短い上端取付け部と、を備え、前記上端部に凹部を備えたことを特徴とするライン把手が提供される。
これによれば、防水手段を設けやすいライン把手を提供することができる。
【００１２】
また、請求項７記載の発明によれば、ライン把手を扉に取り付けるライン把手の取付け構造であって、前記ライン把手は、指をかける把手本体と、扉の背面に固定される後壁固定部と、扉の上端面に取り付けられる上端取付部と、を備え、前記上端取付け部は、前記扉の上端面の奥行きよりも短く、前記上端取付け部と前記扉の上端面との間に、水の流入を防止する防水手段とを備えたことを特徴とするライン把手の取付け構造が提供される。
これによれば、ライン把手と扉の間に防水手段を備えることにより、扉の厚みに関係なく装着できながら、ライン把手や扉の前面に飛散した水滴が浸水することを防止することができる。
【００１３】
また、請求項８記載の発明によれば、前記防水手段は、前記上端取付け部と前記扉の上端面との間に介在することを特徴とする請求項７に記載のライン把手の取付け構造が提供される。
これにより、扉自身の重量を利用してより効率的に浸水を防止することが可能となる。
【００１４】
また、請求項９記載の発明によれば、前記上端取付部には凹部が形成され、前記凹部と前記扉の上端面との間に防水手段が配置されていることを特徴とする請求項８に記載のライン把手の取付け構造が提供される。
これによれば、上端取付け部に凹部を設けることによって、効率的に防水手段を配置することが可能となる。
【００１５】
また、請求項１０記載の発明によれば、前記防水手段は弾性部材からなるパッキンであることを特徴とする請求項７乃至９の何れか一項に記載のライン把手の取付け構造が提供される。
これによれば、特殊な材料や構造を用いることなく、浸水を防止することができる。
【発明の効果】
【００１６】
本発明によれば、様々な厚みの扉に取り付けることが可能でありながら、扉上部における水分の侵入を防ぐライン把手およびその取付け方法が提供される。
【図面の簡単な説明】
【００１７】
【図１】本発明の第一の実施例における扉２に取り付けられたライン把手１を示す斜視図
【図２】本発明の第一の実施例におけるライン把手１を示す側面図
【図３】本発明の第一の実施例における扉２に取り付けられたライン把手１を示す側面図
【図４】本発明の第一の実施例におけるライン把手１の上端取付部５付近の拡大図
【図５】本発明の第二の実施例における扉２に取り付けられたライン把手１を示す側面図
【図６】本発明の第三の実施例における扉２に取り付けられたライン把手１を示す側面図
【図７】本発明の第四の実施例における扉２に取り付けられたライン把手１を示す側面図
【図８】本発明の第五の実施例における扉２に取り付けられたライン把手１を示す側面図
【発明を実施するための形態】
【００１８】
以下、本発明の実施例について図面を用いて説明する。
図１は本発明の第一の実施例におけるライン把手１を扉２に取り付けた状態を示す斜視図である。
【００１９】
ライン把手１は側面視Ｆ形状となっており、上部はその把手本体３となっている。この扉本体３は使用者が実際に手を触れて、力をかける場所である。手をかけやすいように、前方から前壁が垂下している。また、手を触れた際に手触りがよいように、内面は円弧状となっている。
【００２０】
扉上端面４と接触する上端取付部５の幅は、扉上端面４の幅の半分程度となっている。これにより、扉上端面４の手前側角部はライン把手１により被覆されることがない。扉の厚みに関係なく取り付けることが可能なため、一種類のライン把手１で複数の扉に対応することが可能となる。
また、ライン把手１はアルミなどの金属材によって構成されており、従来は扉上端面４の手前側角部に手などをぶつけ、怪我をする問題があったが、このような構成にすることで、アルミなどの金属材に直接手をぶつける危険性を低下させることが出来る。
さらに、扉前面上部に、ライン把手１が露出することがないために、扉前面の意匠性を保つことが可能となる。
【００２１】
上端取付部５の一部にはパッキン嵌合溝６が設けられている。このパッキン嵌合溝６は後壁固定部８と段差なく形成されており、扉上端面４の後方角部と当接しない形状となっている。
これにより、上端取付部５の前端が扉上端面４と確実に当接触することが可能となり、水分の侵入を防ぐことが可能となっている。
【００２２】
このパッキン嵌合溝６にパッキン７を取付け、扉上端面４と接触させることで、ライン把手１と扉２の間が水密に接合され、キャビネット内部への水分の侵入をさらに確実に防ぐことが可能となる。なお、図３においてパッキン７は図示していないが、扉上端面４とパッキン嵌合溝６の間に存在する空間に変形して密着している状態となっている。
なお、パッキンは防水が可能な弾性をもつ材料であればなんでもよく、ゴム・エラストマーなどの柔軟な材質からなるものや、スポンジ状の形態を持つものなど、様々な材料を使用することが出来る。
【００２３】
上端取付部５の奥からは後壁固定部８が垂下している。この後壁固定部８は扉後壁９にネジなどで固定される。このとき、下部に存在する後壁固定部８をネジ閉めすることで、図３において時計回りに回転モーメントが発生するため、ライン把手１、特に上端取付５は扉２、扉上端面４にしっかりと固定される。
【００２４】
また、図４に示すように、上端取付部５は後壁固定部８に対して垂直ではなく、やや前方に傾斜する角度となっている。これにより、パッキン７が上端取付部５の前方にはみ出して、意匠性を損ねる可能性が低減できる。
【００２５】
図５は本発明の第二の実施例における扉２に取り付けられたライン把手１を示す側面図である。なお、第一の実施例と同じ部材には同じ番号を付し、詳細な説明は省いた。
第二の実施例において、パッキン嵌合溝６は前端、後端ともに垂直に構成されている。そして、このパッキン嵌合溝６と扉上端面４との間で、図示していないパッキン７が圧縮変形された状態で密着している。これにより、ライン把手１前面からの水を侵入を防ぐ構造となっている。
【００２６】
図６は本発明の第三の実施例における扉２に取り付けられたライン把手１を示す側面図である。
第三の実施例においては、扉上端面４の一部に、パッキン嵌合溝６が形成されている。このパッキン嵌合溝６とライン把手１の上端取付け部５との間に図示していないパッキン７が取り付けられ、圧縮変形された状態で密着し、ライン把手１の前方からの水の侵入を防いでいる。
【００２７】
図７は本発明の第四の実施例における扉２に取り付けられたライン把手１を示す側面図である。
第四の実施例においては、ライン把手１の後壁固定部８の一部にパッキン嵌合溝６が形成されている。そして、このパッキン嵌合溝６と扉２の扉後壁９との間で図示していないパッキン７が圧縮変形され、密着した状態となっている。
扉２の扉上端面４が十分に防水性能を確保している場合には、第四の実施例のように、扉２の扉後壁９で水の侵入を防ぐ構造としてもよい。この場合、ライン把手２の前方にパッキン７がはみ出す恐れがなくなる。このようにパッキン７を装着する場所は扉上端面４に限らず、水の侵入を防げる場所であればどこでもよい。
【００２８】
図８は本発明の第五の実施例における扉２に取り付けられたライン把手１を示す側面図である。
第五の実施例においては、扉上端面４に扉突起部１０が、ライン把手１の上端取付け部５の一部にライン把手凹部１１がそれぞれ形成されている。ライン把手１を扉２に取り付けた状態では、ライン凹部１１の間に扉突起部１０が挿入される形となり、上端取付け部５と扉突起部１０の間には空隙１２が形成される。この空隙１２に図示していないパッキン７が配置されている。このとき、前述のようにライン把手１はその後壁固定部８が扉後壁９にネジ止め固定されるため、空隙１２に配置されたパッキン７は扉突起部１０とライン把手凹部１１の前端によって前後方向から力が加わることとなり、圧縮変形した状態で密着されることとなる。
このように、パッキン７を圧縮する力は上下方向だけでなく、前後方向にかけてもよい。
【符号の説明】
【００２９】
１……ライン把手
２……扉
３……把手本体
４……扉上端面
５……上端取付部
６……パッキン嵌合溝
７……パッキン
８……後壁固定部
９……扉後壁
１０……扉突起部
１１……ライン把手凹部
１２……空隙
【図１】
2010167276.tif 000003
【図２】
2010167276.tif 000004
【図３】
2010167276.tif 000005
【図４】
2010167276.tif 000006
【図５】
2010167276.tif 000007
【図６】
2010167276.tif 000008
【図７】
2010167276.tif 000009
【図８】
2010167276.tif 000010